(57)【要約】【課題】プリーツフィルタ全体を大きくせずにフィルタの表面積を大きくすることのできる電気掃除機を提供する。【解決手段】塵埃吸込口から塵埃を吸い込ませる電動送風機と、前記塵埃吸込口へ吸い込まれた塵埃と空気を分離する塵埃分離部５２と、この塵埃分離部５２と前記電動送風機との間に配置されるプリーツフィルタ１０４とを備え、このプリーツフィルタ１０４のフィルタ面２０４を凹凸形状に構成した。【選択図】図７
2008029478.tif 000002
【特許請求の範囲】
【請求項１】
塵埃吸込口から塵埃を吸い込ませる電動送風機と、前記塵埃吸込口へ吸い込まれた塵埃と空気を分離する塵埃分離部と、この塵埃分離部と前記電動送風機との間に配置されるプリーツフィルタとを備えた電気掃除機において、
前記プリーツフィルタのフィルタ面を凹凸形状に構成したことを特徴とする電気掃除機。
【請求項２】
前記凹凸形状は波形状であることを特徴とする請求項１に記載の電気掃除機。
【発明の詳細な説明】
【技術分野】
【０００１】
この発明は、塵埃吸込口へ吸い込まれた塵埃と空気を分離する塵埃分離部と電動送風機との間にプリーツフィルタを配置した電気掃除機に関する。
【背景技術】
【０００２】
従来から、二次フィルタとしてプリーツフィルタを使用する電気掃除機が知られている（特許文献１参照）。
【０００３】
かかる電気掃除機は、集塵容器室を内部に形成した掃除機本体と、集塵容器室に着脱自在に装着される集塵容器と、この集塵容器の後部開口に設けたプリーツフィルタと、前記集塵容器室の下流側に設けられた電動送風機等とを備えている。そして、プリーツフィルタはフィルタの表面積を大きくとることができ、電動送風機の仕事率の向上を図ることができる。
【特許文献１】特開２００５−２６１５１８号公報
【発明の開示】
【発明が解決しようとする課題】
【０００４】
しかしながら、従来のプリーツフィルタでは、フィルタの表面積をさらに大きくするには、プリーツフィルタ全体を大きくしなければならないという問題があった。
【０００５】
この発明の目的は、プリーツフィルタ全体を大きくせずにフィルタの表面積を大きくすることのできる電気掃除機を提供することにある。
【課題を解決するための手段】
【０００６】
この発明は、塵埃吸込口から塵埃を吸い込ませる電動送風機と、前記塵埃吸込口へ吸い込まれた塵埃と空気を分離する塵埃分離部と、この塵埃分離部と前記電動送風機との間に配置されるプリーツフィルタとを備えた電気掃除機において、
前記プリーツフィルタのフィルタ面を凹凸形状に構成したことを特徴とする。
【発明の効果】
【０００７】
この発明によれば、プリーツフィルタ全体を大きくせずにフィルタの表面積を大きくすることができる。
【発明を実施するための最良の形態】
【０００８】
以下、この発明に係る電気掃除機の実施の形態である実施例を図面に基づいて説明する。
【実施例】
【０００９】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには後述する電動送風機２４の駆動を停止する切スイッチ１３ａや電動送風機２４のパワーを設定する強弱スイッチ１３ｂなどが設けられている。
【００１０】
吸込口体１５には、その底面に塵埃を吸引する図示しない吸込開口（塵埃吸込口）を形成した吸込室（図示せず）が形成されており、この吸込室は延長管１４と集塵ホース１２と接続口１１Ａを介して掃除機本体１１内に設けた集塵ユニット５０（図６参照）の吸込接続口５７ａに連通している。
【００１１】
掃除機本体１１は、本体ケース２０と、本体ケース２０内に装着された集塵ユニット５０（図４参照）と、後述する電動送風機２４とを備えている。
【００１２】
本体ケース２０の前側には、図２および図３に示すように、集塵ユニット室２２が形成されており、この集塵ユニット室２２には後述する塵埃分離ユニット４００と集塵部ユニット４１０とが着脱自在に装着されるようになっている。
【００１３】
また、本体ケース２０の後側には電動送風機２４が設けられており、この電動送風機２４の前側（図２において右側）に前面開口２５Ｂを有する円筒状の接続風路部２５が形成され、前面開口２５Ｂにはシール部材２７が装着されている。接続風路部２５の後壁２５Ａには接続開口２５ｂが形成されており、この接続開口２５ｂと電動送風機２４の吸込開口２４Ａとが連通している。
【００１４】
集塵ユニット室２２には、図３に示すように、駆動ギアＧａと、この駆動ギアＧａを回転させる駆動モータＭ１とが設けられている。
【００１５】
集塵ユニット室２２の上部には開口２３が形成され、この開口２３は図２に示すように蓋ケース２１Ａ,２１Ｂによって閉鎖されている。
【００１６】
集塵ユニット５０は、図４および図５に示すように、塵埃分離ユニット４００と集塵容器４１０とを備えている。
【００１７】
塵埃分離ユニット４００は、塵埃分離部（慣性分離部）５２と、塵埃分離部５２と一体となっているフィルタ部８０と、このフィルタ部８０の上に設けた蓋ケース２１Ａとから構成されている。
【００１８】
集塵容器４１０は、樹脂製の集塵部７０と、この集塵部７０の上に設けられた蓋ケース２１Ｂとから構成されている。
【００１９】
塵埃分離部５２は、図６に示すように円筒状の外周壁５３によって形成された分離室部５４と、この分離室部５４内に設けられたほぼ円錐形状の塵埃分離手段５５と、分離室部５４の右側壁５４Ａの外側に設けた吸引風路部５６と、吸込接続口（塵埃吸込口）５７ａから分離室部５４へ空気を案内する案内風路管５７とを有している。吸込接続口５７ａは、塵埃分離ユニット４００が掃除機本体１１の集塵ユニット室２２に装着されると、掃除機本体１１の接続口１１Ａに連通されるようになっている。
【００２０】
分離室部５４の外周壁５３の上部には、図５に示すように、空気から分離された塵埃を集塵部７０へ導入する導入開口５３Ａが形成されている。
【００２１】
また、分離室部５４の右側壁５４Ａには、図６に示すように、円形の開口１５４Ａと扇状の開口１５４Ｂとが形成され、開口１５４Ａには塵埃分離手段５５が取り付けられており、開口１５４ＢにはネットフィルタＮＦ２（図示せず）が取り付けられている。また、右側壁５４Ａには接続開口５４Ａａが形成され、この接続開口５４Ａａには案内風路管５７が接続されており、分離室部５４と案内風路管５７とが連通している。
【００２２】
塵埃分離手段５５は、複数の枠５５ａと、この枠５５ａの周囲に貼り付けたネットフィルタＮＦ１とから構成されている。そして、吸引風路部５６は、右側壁５４Ａの開口１５４ＡおよびネットフィルタＮＦ１（図５参照）を介して分離室部５４内に連通し、また右側壁５４Ａの開口１５４ＢのネットフィルタＮＦ２（図示せず）を介して分離室部５４内に連通している。
【００２３】
吸引風路部５６は、後述するフィルタ部８０の収納ケース８１内に連通しているとともに、その右側壁部１５６（図５参照）に形成した接続開口５６Ａを介して集塵ケース部７４の集塵室７３に連通している。
【００２４】
案内風路管５７は、分離室部５４の接続開口５４Ａａから分離室部５４内へ導入される空気を図６の矢印に示すように反時計回りに回転させるようになっている。
【００２５】
集塵部７０は、図５に示すように、上部に左右方向に延びた連通路７１を形成した連通ケース部７２と、この連通ケース部７２の右端部から下方に延びるとともに塵埃を集塵する集塵室部７３を形成した集塵ケース部７４とを有している。集塵室部７３は、接続開口５６Ａを介して吸引風路部５６に連通されている。
【００２６】
フィルタ部８０は、図７に示すように後面（図７において左側）が開口されるとともに円筒状の収納ケース８１と、この収納ケース８１内に回転自在に取り付けられたプリーツフィルタ体（二次フィルタ）１００とを有している。収納ケース８１の前壁部８４の前面には塵埃分離部５２（図５および図６参照）が一体に形成されている。
【００２７】
収納ケース８１の前壁部８４には、図５および図７に示すように接続開口８４Ａが形成され、この接続開口８４Ａが吸引風路部５６（図５参照）に接続されている。そして、その接続開口８４Ａを介して収納ケース８１内と吸引風路部５６とが連通している。
【００２８】
また、前壁部８４の接続開口８４Ａの縁部には、プリーツフィルタ体１００に向けて突出した突起Ｔ（図２参照）が設けられている。この突起の先端部が後述するプリーツフィルタ１０４の山部に接触するようになっている。
【００２９】
プリーツフィルタ体１００は、図７に示すように、筒状の枠体１０１と、この枠体１０１の中心位置に設けた軸部１０１Ａと、この軸部１０１Ａから放射状にプリーツを形成したプリーツフィルタ１０４とを有している。
【００３０】
軸部１０１Ａの軸穴１０１Ａａには、図２に示すように前壁部８４の軸８４Ｊが相対的に回転自在に挿入され、プリーツフィルタ体１００が収納ケース８１内で軸８４Ｊ回りに回転可能となっている。
【００３１】
枠体１０１の後端面にはギア１０７が形成され、このギア１０７は収納ケース８１から外へ突出し、このギア１０７は掃除機本体１１の集塵ユニット室２２の駆動ギアＧａに噛合しており、モータＭ１の駆動によりプリーツフィルタ体１００が収納ケース８１内で回転していくようになっている。
【００３２】
また、塵埃分離ユニット４００を掃除機本体１１の集塵ユニット室２２に装着すると、掃除機本体１１の接続風路部２５の前面開口２５Ｂにシール部材２７を介して塵埃分離ユニット４００の収納ケース８１の後端面が接合され、収納ケース８１内と電動送風機２４の吸込開口２４Ａとが接続風路部２５を介して連通される（図２参照）。
【００３３】
プリーツフィルタ１０４は、図８に示すように、放射状のプリーツを形成するプリーツ枠２００と、このプリーツ枠２００に貼り付けられたフィルタ２１０（図９参照）とから構成されている。
【００３４】
プリーツ枠２００は、プリーツの山部を形成する山枠部２０１と、プリーツの谷部を形成する谷枠部２０２と、この谷枠部２０２と山枠部２０１とを連結した複数の連結枠部２０３とを有している。各連結枠部２０３は波状に形成されており、これら波状に形成された連結枠部２０３によって図９に示すようにプリーツの側面２０４（フィルタ面）に凹部２０４Ａと凸部２０４Ｂとが交互に形成されている（図７において凹凸２０４Ａ，２０４Ｂは省略してある）。すなわち、プリーツフィルタ１０４のフィルタ面２０４が波状に構成されている。この凹凸部２０４Ａ，２０４Ｂによりプリーツフィルタ１０４の表面積が大きくなっている。
［動  作］
次に、上記のように構成される電気掃除機の動作について説明する。
【００３５】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００３６】
そして、手元操作管１３の操作部１３Ａのスイッチ１３ｂを操作すると、電動送風機２４が駆動される。この電動送風機２４の駆動により、電動送風機２４の吸込開口２４Ａから空気が吸い込まれて、接続風路部２５を介して集塵ユニット５０の収納ケース８１内に負圧が作用し、さらに吸引風路部５６を介して集塵ケース部７４内や塵埃分離部５２の分離室部５４に作用する。そして、その負圧が案内風路管５７を介して集塵ホース１２,延長管１４および吸込口体１５に作用し、吸込口体１５から空気とともに塵埃が吸引されていく。
【００３７】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路管５７を通って塵埃分離部５２の分離室部５４内へ導入され、この分離室部５４内では図６において反時計回りに回転していく。
【００３８】
そして、この回転により塵埃と空気が慣性により分離され、空気が塵埃分離手段５５のネットフィルタＮＦ１（図５参照）や開口１５４ＢのネットフィルタＮＦ２（図示せず）を通り、さらに吸引風路部５６を通ってフィルタ部８０の収納ケース８１内へ吸引されていく。
【００３９】
他方、分離された塵埃は、慣性力によって分離室部５４の導入開口５３Ａの集塵部７０の連通ケース部７２内へ一部の空気とともに導入される。この導入された塵埃および空気は連通ケース部７２の連通路７１を通って集塵室部７３へ吸引されていき、塵埃は集塵室部７３に集塵されていく。
【００４０】
集塵室部７３へ吸引された空気は、接続開口５６Ａを介して吸引風路部５６へ吸引され、さらにフィルタ部８０の収納ケース８１内へ吸引されていく。
【００４１】
収納ケース８１内へ吸引された空気は、プリーツフィルタ体１００のプリーツフィルタ１０４を通って掃除機本体１１の接続風路部２５へ吸引され、さらに電動送風機２４の吸込開口２４Ａへ吸引されていく。
【００４２】
電動送風機２４の吸込開口２４Ａへ吸引された空気は電動送風機２４内を通って図２に示す掃除機本体１１の排気口２０Ｈから排気されていく。
【００４３】
ところで、プリーツフィルタ１０４は、フィルタ面２０４に凹凸部２０４Ａ，２０４Ｂが形成されていることによりその表面積が大きくなっている。このため、電動送風機２４の仕事率が向上する。また、フィルタ面２０４に凹凸部２０４Ａ，２０４Ｂを形成したものであるから、プリーツフィルタ１０４の外形を大きくすることなく、その表面積を大きくすることができる。
【００４４】
電動送風機２４の駆動が停止されると、モータＭ１が一定時間駆動される。このモータＭ１の駆動により駆動ギアＧａが回転してプリーツフィルタ体１００が回転していく。
【００４５】
このプリーツフィルタ体１００の回転により、プリーツフィルタ１０４の山部に塵埃分離ユニット４００の前壁部８４に設けた突起Ｔ（図２参照）の先端部が接触して、プリーツフィルタ１０４に振動を与えてこのプリーツフィルタ１０４に付着した塵埃を落としていく。
【００４６】
上記実施例では、プリーツの側面２０４に凹凸部２０４Ａ，２０４Ｂは波形状に形成されているが、これに限らず階段状に形成してもよく、図９に示す左右方向に対して凹凸を形成してもよい。また、例えば円形状の凹凸を形成してもよい。
【００４７】
また、上記実施例の電気掃除機は慣性を利用して塵埃を分離しているが、これに限らず、フィルタで捕捉するタイプのものや分離部を通らずに直接集塵室部７３内へ塵埃が流入していくタイプのものであってもよい。
【図面の簡単な説明】
【００４８】
【図１】この発明に係る電機掃除機の外観を示した斜視図である。
【図２】図１に示す掃除機本体の構成を示した縦断面図である。
【図３】集塵ユニットを取り外した掃除機本体を示した斜視図である。
【図４】集塵ユニットの外観を示した斜視図である。
【図５】図４に示す集塵ユニットの横断面図である。
【図６】塵埃分離ユニットの外観を示した斜視図である。
【図７】集塵容器の外観を示した斜視図である。
【図８】プリーツフィルタの枠体の一部を示した斜視図である。
【図９】プリーツフィルタの一部を示した部分斜視図である。
【符号の説明】
【００４９】
１１          掃除機本体
２４          電動送風機
５２          塵埃分離部
１０４          プリーツフィルタ
２０４          側面（フィルタ面）
２０４Ａ        凹部
２０４Ｂ        突部
【図１】
2008029478.tif 000003
【図２】
2008029478.tif 000004
【図３】
2008029478.tif 000005
【図４】
2008029478.tif 000006
【図５】
2008029478.tif 000007
【図６】
2008029478.tif 000008
【図７】
2008029478.tif 000009
【図８】
2008029478.tif 000010
【図９】
2008029478.tif 000011